(57)【特許請求の範囲】
【請求項１】
弾性を有する有機高分子材からなる基本本体軸１と、前記基本本体軸１に収納され摺動可能な基本スライド軸２とからなる基本軸
及び弾性を有する有機高分子材からなる移動本体軸３と、前記移動本体軸３に収納され摺動可能な移動スライド軸４とからなる移動軸、
により構成されるゴニオメータにおいて、
前記基本スライド軸２を前記基本本体軸１に収納する際及び
前記移動スライド軸４を前記移動本体軸３に収納する際に、
前記基本本体軸１及び前記移動本体軸３の各々の長軸方向に設けた断面が台形の溝を弾性限度内で広げたところに、
前記台形の溝と同じ断面をもつ前記基本スライド軸２及び前記移動スライド軸４の各々を収納することが出来ることを特徴とするイクステンドゴニオメータ。
【請求項２】
前記基本本体軸１に収納された前記基本スライド軸２の最大摺動時及び
前記移動本体軸３に収納された前記移動スライド軸４の最大摺動時において
前記基本軸及び前記移動軸のそれぞれに停止機構及びロック機構を設けたことを特徴とする請求項１に記載のイクステンドゴニオメータ。
【請求項３】
前記基本本体軸１及び前記基本スライド軸２に長さを表す目盛と数字を設けたことを特徴とする請求項２に記載のイクステンドゴニオメータ。
【請求項４】
前記移動本体軸３にレンズ機構を設けたことを特徴とする請求項３に記載のイクステンドゴニオメータ。
【請求項５】
着色した素材を使用したことを特徴とする請求項４に記載のイクステンドゴニオメータ。
【発明の詳細な説明】
【技術分野】
【０００１】  本発明は、身体の関節角度および骨の変形等をより正確に効率的に測定するゴニオメータに関するものである。
【背景技術】
【０００２】  ゴニオメータは主に関節角度を測定する目的で使用され、その多くは金属製であり、分度器を備えた基本軸とその中心に半固定された移動軸とから構成され、被測定対象にあてがったときに前記基本軸と前記移動軸のなす角を測定するものである。【０００３】  従来のゴニオメータを使用した場合、実際の医療現場で様々な大きさの関節や骨等を測定するときには、通常は複数のゴニオメータを使用していた。【０００４】  特許文献１（実開昭５８−１４５６０４号）によると、直線尺と主分度尺の長さを補助尺の摺動により伸縮出来るゴニオメータもあるが、補助尺が抜ける構造のため、その操作に手間や慎重さが必要なことまた、
補助尺と直線尺、主分度尺間の遊びに基づくグラつきがあり、測定値が不正確になることがある。
特許文献１に記載されたような機能を持たない通常のゴニオメータの場合は、被測定対象に依っては、別の測定手段を使って長さを測定する必要があった。
特許文献２（実開平０５−８７５１４）によると、二重構造の矩形の測長杆が摺動して長さを測る仕組みの測長器があるが、杆を係止、解除手段が必要でその仕組みを作るためには加工や部品を多く必要とするため、製造単価及び故障の確率の増大は確実である。【０００５】  従来のゴニオメータの角度目盛や基準となる中心線は色彩的に認識しにくかった。【０００６】  金属製の従来のゴニオメータにおいては、その灰色系統の色彩から恐怖感を抱かせることや冷たい、暗い等を連想させることから検査に影響することがあった。
【発明の開示】
【発明が解決しようとする課題】
【０００７】  従来のゴニオメータには次のような課題があった。
（イ）臨床現場で関節角度等を測定するときに、多くの従来のゴニオメータでは様々な大      きさの関節等に適合させながら正確さをもって測定することは困難であった。
（ロ）従来のゴニオメータで長さを測定する場合、他の測定器具（巻尺、定規等）を使用      する必要があった。
（ハ）直線尺と主分度尺の長さを伸縮出来る前記特許文献１に記載のゴニオメータではそ      の補助尺を最大に摺動したときに停止させることが出来ないこと及び補助尺にグラ      つきが生じることなどの問題があった。
（ニ）前記特許文献２に記載された二重構造の矩形の測長杆でできた一方の杆を出し入れ      して長さを測る測長器においては、測長杆を係止、解除手段が必要でそのための加      工や部品を多く必要とした。
（ホ）従来のゴニオメータの色彩は例えば、金属の銀色と黒色の目盛あるいは透明色と黒      色の組み合わせのように、対照トーンによる色彩調和が考慮されていないため、角      度目盛や基準となる中心線が知覚的に認識しにくく誤読などの問題があった。
（ヘ）金属製のゴニオメータ、その冷たい素材、形状および色彩にともなうマイナスイメ      ージや連想により恐怖心を煽る場合があり、とくに小児においてはしばしば診察や      検査の妨げになっていた。
そこで、本発明は、様々な大きさの関節等に適合出来るようにゴニオメータの前記基本軸と前記移動軸が摺動して伸縮出来るようにし、摺動する軸が抜けたりグラついたりしない構造を持ち合わせること及び色彩的には角度目盛や中心線等を認識し易くし、測定に手間や時間をかけずに気軽に測定でき、被検査者に必要以上の心理的悪影響を与えないようにすることを目的とする。
【課題を解決するための手段】
【０００８】  請求項１に記載の発明は、以下図２〜図４を参照すると、
弾性を有する有機高分子材からなる前記基本本体軸１及び前記移動本体軸３の中程の位置にはそれぞれの長軸方向に沿って、
台形の上底辺を上面に下底辺を下面にして構成された台形断面の幅の広い台形溝からそれぞれの端部に向かい片側のみが斜めに傾斜して内側に突起した本体軸ロック部５を含む前記幅の狭い台形溝が構成され、
また、弾性を有する有機高分子材からなる前記基本スライド軸２及び前記移動スライド軸４における台形断面をした長い軸幹部は、途中から前記台形断面の片側のみが斜めに傾斜しその断面幅を広げた突起をもつスライド軸ロック部６を含む幅の広い軸端部（図５参照）が構成されたときに、【０００９】前記長い軸幹部を素材の弾性限度内で湾曲させながら前記基本本体軸１及び前記移動本体軸３の前記幅の狭い台形溝内にそれぞれ挿入していくと、
前記基本スライド軸２及び前記移動スライド軸４の前記幅の広い軸端部はそれぞれの前記幅の狭い台形溝の手前上面で、挿入不可となるが、【００１０】素材の弾性限度内で前記幅の広い台形溝の溝幅を広げるように（図６参照）長軸方向に沿って曲げモーメントＭを加えると前記幅の広い台形溝の上底辺は隙間δ広がるため、
前記幅の広い軸端部は前記幅の広い台形溝内に弾性に伴う適度な抵抗をもって容易に収納でき、前記台形溝の全ての範囲で噛合うような構造を有する、ことを特徴としている。【００１１】  請求項２に記載の発明は、前記基本本体軸１及び前記移動本体軸３に収納された前記基本スライド軸２及び前記移動スライド軸４をそれぞれ最大まで摺動すると、
前記幅の広い軸端部の片側のみ傾斜した突起をもつ前記スライド軸ロック部６は前記幅の狭い台形溝の片側のみ傾斜した突起をもつ前記本体軸ロック部５に衝突すると、
前記基本スライド軸２及び前記移動スライド軸４は、
停止し、ロックされ、前記台形溝の片側の直線部分に押し付けられる機構を持つ、ことを特徴としている。【００１２】  請求項３に記載の発明は、前記基本本体軸１及び前記基本スライド軸２の全長に亘り長さ目盛と数字を設け、最大まで伸ばした前記基本軸に対し、最大まで伸ばした前記移動軸を１８０°回転させたとき、前記移動軸の最長端から前記基本軸の最長端までの長さを測定することが出来る機構をもつ、ことを特徴としている。【００１３】  請求項４に記載の発明は、前記基本本体軸１の分度器の目盛と数字上を回転しながらなぞる前記移動本体軸３の部分をレンズ形状とすることで、前記目盛と前記数字を拡大して読むことが出来る構造とした、ことを特徴としている。【００１４】  請求項５に記載の発明は、色彩調和を考慮して着色した前記基本軸と移動軸を使い、また、前記基本軸と前記移動軸に引く中心線を溝状の線とした、ことを特徴としている。
【発明の効果】
【００１５】  請求項１の発明によると、前記基本軸および前記移動軸の長さは身体の関節等の大きさに合わせて調節可能なため、
大関節でも、小関節でも、骨のアライメントでも、骨の変形でも、従来のように複数のゴニオメータを使うことなく、１つのゴニオメータで正確かつ効率的な測定が出来ることから、リハビリテーション領域から整形外科及び小児科領域まで広い範囲での利用が期待される。
また、前記基本スライド軸２及び前記移動スライド軸４をそれぞれ前記基本本体軸１及び前記移動本体軸３に収納する機構は複雑な構造や多くの部品を必要としない、極めて単純な機構であるため、
製作は非常に単純化され、製作工程も激減するため製造単価を下げることが出来ると同時に、故障の発生を無くすことも可能であり、【００１６】  また、前記基本軸および前記移動軸の長さを伸縮する操作は、ただ前記基本スライド軸２及び前記移動スライド軸４を動かしたい方向に指で滑らすだけで良く、
指を離せば特別な操作も手間も無く前記基本スライド軸２及び前記移動スライド軸４はその位置に持続的にとどまり、
前記台形断面をした前記基本スライド軸２および前記移動スライド軸４は、それぞれ前記基本本体軸１および前記移動本体軸３の前記台形溝に噛合う形で収納されるため、外れる心配は全くないので、
躊躇せずに、億劫がらず、極めて気楽に検査測定が出来るということで、リハビリテーション等を実施するうえで非常に大きな戦力となるだけでなく、【００１７】  更に、前記基本軸および前記移動軸の長さを最小にした状態では、胸のポケットに丁度入るためゴニオメータを常時携帯出来、必要なときに手軽に測定が可能となる。これは、非常に大切なことです。つまりは、使えるゴニオメータに成り得ると言えることです。【００１８】  請求項２の発明によると、前記基本軸及び前記移動軸は前記基本本体軸１と前記基本スライド軸２との接合部でまた、前記移動本体軸３と前記移動スライド軸４との接合部で摺動を停止と同時にロックさせる機構を持つことは、
前記基本スライド軸２あるいは前記移動スライド軸４を頓着せずに最大まで摺動することが出来、ロックを解除するときも、ただ単純に前記基本スライド軸２あるいは前記移動スライド軸４の摺動操作を行うだけで良いので、
ゴニオメータの取り扱いは著しく簡便になり、検査は容易になるため検査効率が向上し、臨床現場では極めて有用な存在となることは明らかで、医療分野での普及が必ず期待できる。【００１９】  請求項３の発明によると、前記基本本体軸１および前記基本スライド軸２に定規と同様の長さ目盛を設けることにより、測定部の大小にかかわらず肢長及び骨の形状等を正確に測ることが出来、
とくにレントゲン写真やＣＴ画像上では、骨の大きさ、アライメント及び変形の程度等を正確に測定し、診断や手術前の手術計画策定等に生かすことが出来る。【００２０】  請求項４の発明によると、前記移動本体軸３に設けたレンズ部８（図１、４参照）は前記基本本体軸１の分度器の目盛と数字を拡大して見せるため、誤読の減少とともに検査効率の向上に寄与できる。【００２１】  請求項５の発明によると、着色した前記基本軸及び前記移動軸に設けた溝状の中心線は知覚的に認識し易くなるため、レントゲン写真やディスプレイ上のＣＴ画像等の骨や関節の形状、アライメント等は非常に容易にかつ正確に測定可能となり、診察の効率化が図れるだけでなく、とくに手術前の綿密な手術計画策定にも大きく貢献できる。
また、色彩調和を考慮したゴニオメータは心理的にも安心感をもてるため、とくに小児科領域での利用も期待される。
【発明を実施するための最良の形態】
【００２２】  以下、本発明を実施するための最良の実施形態について図面に基づき説明する。なお、各図面において同じ符号を付した部品等は全て同じものを示す。【００２３】  図１は本発明のイクステンドゴニオメータ組立図であり、着色した有機高分子材による前記基本本体軸１に収納した前記基本スライド軸２からなる前記基本軸と前記移動本体軸３に収納した前記移動スライド軸４からなる前記移動軸からなり、
固定材１３で半固定された固定軸を中心に前記基本軸、前記移動軸とも適度な抵抗を常に保持しながら回転可能で、前記基本本体軸１上に記した角度目盛と数字を前記移動本体軸３の前記レンズ部８越しに拡大して読み取ることができ、
前記基本スライド軸２、前記移動スライド軸４をそれぞれ長軸方向に摺動し、前記基本軸および前記移動軸全体の長さを調節して被測定対象の大きさに適合させれば、
前記基本本体軸１及び前記基本スライド軸２に記してある目盛と数字から角度及び長さを正確に読み取ることが出来る。
なお、前記移動軸を１８０°回転させると前記基本軸先端から前記移動軸先端までの長さは、前記基本軸単独で測れる長さの倍の長さを測ることが出来る。【００２４】  図２（ａ）、（ｂ）、（ｃ）は前記基本本体軸１に収納された前記基本スライド軸２から構成される前記基本軸の組立図の上面図、正面図及び右側面図である。
図２（ｄ）は前記基本スライド軸２を最大に摺動したときに、
前記スライド軸ロック部６が前記本体軸ロック部５に衝突し、摺動が停止すると同時にロックする仕組みを示したロック部詳細図であり、この前記したロックする仕組みは前記移動本体軸３と前記移動スライド軸４における仕組みとも同じなため、以下には両方について記載する。
前記基本スライド軸２及び前記移動スライド軸４の斜めに傾斜した突起部をなす前記スライド軸ロック部６がＦなる力で
前記基本本体軸１及び前記移動本体軸３の斜めに傾斜した突起部をなす前記本体軸ロック部５を押した時の反力Ｆに対して
９０度の方向に働く分力ｆは、
前記基本スライド軸２及び前記移動スライド軸４を、前記基本本体軸１及び前記移動本体軸３における一直線になった前記スライド部７に、押し付けるように働くため、
前記基本本体軸１と前記基本スライド軸２との接合部及び前記移動本体軸３と前記移動スライド軸４との接合部では停止すると同時に一直線を保つようにロックする。【００２５】  図３（ａ）は前記基本本体軸１の下面図で、前記スライド部７の一方の端部を内側に向かい斜めの傾斜をもって突起させた前記本体軸ロック部５の構造を表す。
図３（ｂ）のＡ−Ａ断面図は、前記長い軸幹部を収納する前記幅の狭い台形溝の断面構造を示し、図３（ｃ）のＢ−Ｂ断面図は前記幅の広い軸端部を収納する前記幅の広い台形溝の断面構造を示す。図３（ｄ）のＣ−Ｃ断面図は前記固定材１３により前記基本本体軸１と前記移動本体軸３が半固定される部分の断面構造である。【００２６】  図４（ａ）は前記移動本体軸３の前記台形溝に前記移動スライド軸４が収納された状態の前記移動軸組立図である。図４（ｂ）、（ｃ）は前記移動軸の正面図と下面図である。
図４（ｄ）のＡ−Ａ断面図は前記幅の広い台形溝に収納された前記幅の狭い軸幹部を含めた断面図である。図４（ｅ）のＢ−Ｂ断面図は分度器上の目盛や数字を拡大して見せる前記レンズ部８の断面図である。【００２７】  図５（ａ）、（ｂ）は前記基本スライド軸２及び前記移動スライド軸４の鳥瞰図と上面図であり、前記長い軸幹部から斜めに傾斜をもち前記スライド軸ロック部６が構成され前記幅の広い軸端部に変化する構造が分かる。図５（ｃ）、（ｄ）は、前記基本スライド軸２及び前記移動スライド軸４とも台形断面構造を成していることが分かる右側面図と左側面図である。【００２８】  図６は前記基本スライド軸２及び前記移動スライド軸４をそれぞれ基本本体軸１及び
移動本体軸３に組み込む機構を表す説明図である。
前記基本スライド軸２及び前記移動スライド軸４の前記長い軸幹部を素材の弾性限度内で湾曲させながら前記基本本体軸１及び前記移動本体軸３の前記幅の広い台形溝側から、前記幅の狭い台形溝内に向かって、それぞれ挿入していくと、
前記基本スライド軸２及び前記移動スライド軸４の前記幅の広い軸端部は、それぞれの幅の狭い前記台形溝の手前上面で挿入不可となるが、
素材の弾性限度内で前記幅の広い台形溝の幅を広げるように長軸方向に沿って曲げモーメントＭを加えると、前記幅の広い台形溝の上底辺は隙間δが広がり、
前記幅の広い軸端部の幅より大きくなれば前記幅の広い台形溝内に互いに噛合うように、容易に収納できるのである。
【図面の簡単な説明】
【００２９】
【図１】は前記基本軸と前記移動軸で構成されるイクステンドゴニオメータの組立図である。
【図２】（ａ）は前記基本本体軸１と前記基本スライド軸２からなる基本軸組立図の上面図である。（ｂ）は前記基本本体軸１と前記基本スライド軸２の正面図である。（ｃ）は前記基本スライド軸２が前記基本本体軸１に収納されている右側面図である。（ｄ）は前記基本スライド軸２と前記移動スライド軸４の摺動を停止及びロックさせる機構の説明図である。
【図３】（ａ）は前記基本本体軸１における前記台形溝の平面形状が分かる下面図である。（ｂ）は前記基本スライド軸２の長い前記軸幹部が入る前記台形溝の断面図である。（ｃ）は前記基本スライド軸２の幅の広い前記軸端部が入る前記台形溝の断面図である。（ｄ）は前記基本本体軸１の半固定部の断面図である。
【図４】（ａ）は前記移動本体軸３と前記移動スライド軸４から構成される前記移動軸組立図の上面図である。（ｂ）は前記移動軸の正面図であり、半固定部の断面図が含まれる。（ｃ）は前記移動軸の下面図である。（ｄ）は前記移動本体軸３の幅の広い前記台形溝に前記移動スライド軸４の前記長い軸端部が収納された状態を示す断面図である。（ｅ）は前記レンズ部８の断面図である。
【図５】（ａ）は前記基本スライド軸２及び前記移動スライド軸４の鳥瞰図である。（ｂ）は前記基本スライド軸２及び前記移動スライド軸４の上面図ある。（ｃ）は前記幅の広い軸端部と前記長い軸幹部の右側面図である。（ｄ）は前記幅の広い軸端部の左側面図である。
【図６】は前記基本スライド軸２及び前記移動スライド軸４をそれぞれ前記基本本体軸１及び前記移動本体軸３に組み込む機構を示す説明図である。
【符号の説明】
【００３０】  １        基本本体軸
２        基本スライド軸
３        移動本体軸
４        移動スライド軸
５        本体軸ロック部
６        スライド軸ロック部
７        スライド部
８        レンズ部
９        基本本体軸中心線
１０      基本スライド軸中心線
１１      移動本体軸中心線
１２      移動スライド軸中心線
１３      固定材
【図１】
0005527666.tif 000002
【図２】
0005527666.tif 000003
【図３】
0005527666.tif 000004
【図４】
0005527666.tif 000005
【図５】
0005527666.tif 000006
【図６】
0005527666.tif 000007